(57)【要約】【課題】移動させても植物が傷つくことを抑制することができる高設可動式栽培テーブルを提供する。【解決手段】高設可動式栽培テーブル１０は、複数並べて配置して用いられるものであり、栽培植物を載置する載置台部１１と、この載置台部１１を所定の高さに支持する支持部１２と、載置台部１１を一方向において往復移動させることが可能な移動手段１３とを備えている。載置台部１１には、少なくとも片方の移動方向に突出して間隔保持部材１４が設けられ、隣接する各載置台部１１の間に間隔を保持することができるようになっている。【選択図】図１
0003223627.tif 000002
【実用新案登録請求の範囲】
【請求項１】
複数並べて配置して用いられる高設可動式栽培テーブルであって、
栽培植物を載置する載置台部と、
この載置台部を所定の高さに支持する支持部と、
前記載置台部を一方向において往復移動させることが可能な移動手段と、
前記載置台部から少なくとも片方の移動方向に突出して設けられ、並べて配置された隣接する前記各載置台部の間に間隔を保持する間隔保持部材と
を備えたことを特徴とする高設可動式栽培テーブル。
【請求項２】
前記間隔保持部材の長さは変更可能であることを特徴とする請求項１記載の高設可動式栽培テーブル。
【請求項３】
前記移動手段は、前記支持部と前記栽培台部との間に、移動方向に対して垂直方向に延長された断面外周が円形の複数の棒状部材を有し、この棒状部材を回転させることにより前記栽培台部を移動させる
ことを特徴とする請求項１又は請求項２記載の高設可動式栽培テーブル。
【考案の詳細な説明】
【技術分野】
【０００１】
本考案は、イチゴ等の植物の栽培に適した高設可動式栽培テーブルに関する。
【背景技術】
【０００２】
近年、イチゴ等の栽培は、例えば、工場等の建屋内やビニールハウス内において、高設栽培用架台（例えば、特許文献１参照）を用い、地面から所定の高さの位置に培地を配設して行われている。この場合、例えば、高設栽培用架台は複数列に並べて設けられ、その両側には作業者が作業するための通路が設けられている。しかし、このように高設栽培用架台の両側に通路を設けると、建物内やビニールハウス内において通路の占めるスペースが多くなり、その分、栽培面積が狭くなるので、十分な作付け面積を得ることができない。そこで、高設栽培用架台を可動式とし、高設栽培用架台の配列方向に移動させることにより、通路の位置を変えること考えられる。
【先行技術文献】
【特許文献】
【０００３】
【特許文献１】特開２０００−８３４７８号公報
【考案の概要】
【考案が解決しようとする課題】
【０００４】
しかしながら、イチゴのように培地から垂れ下がる植物の場合、高設栽培用架台を移動させた時に、培地から垂れ下がった部分が高設栽培用架台に挟まれて傷ついてしまう場合がある。
【０００５】
本考案は、このような問題に基づきなされたものであり、移動させても植物が傷つくことを抑制することができる高設可動式栽培テーブルを提供することを目的とする。
【課題を解決するための手段】
【０００６】
本考案の高設可動式栽培テーブルは、複数並べて配置して用いられるものであって、栽培植物を載置する載置台部と、この載置台部を所定の高さに支持する支持部と、載置台部を一方向において往復移動させることが可能な移動手段と、載置台部から少なくとも片方の移動方向に突出して設けられ、並べて配置された隣接する各載置台部の間に間隔を保持する間隔保持部材とを備えものである。
【考案の効果】
【０００７】
本考案の高設可動式栽培テーブルによれば、載置台部から少なくとも片方の移動方向に突出して間隔保持部材を設けるようにしたので、並べて配置された隣接する各載置台部の間に間隔を保持し、それらが当接しないようにすることができる。よって、イチゴのように、培地から垂れ下がる植物を栽培する場合において、載置台部を移動させても、培地から垂れ下がった部分が載置台部に挟まれて傷ついてしまうことを抑制することができる。よって、載置台部を移動させることにより、作業に合わせて通路の位置を自由に変えることができ、作付け面積を広くすることができる。
【図面の簡単な説明】
【０００８】
【図１】本考案の一実施の形態に係る高設可動式栽培テーブルの構成を表す分解斜視図である。
【図２】図１に示した高設可動式栽培テーブルの構成を表す他の図である。
【図３】図１に示した高設可動式栽培テーブルを複数並べて配置した状態を表す図である。
【図４】図１に示した高設可動式栽培テーブルに栽培ベッドを載置した状態を表す図である。
【図５】図１に示した高設可動式栽培テーブルの動作を説明する図である。
【考案を実施するための形態】
【０００９】
以下、本考案の実施の形態について、図面を参照して詳細に説明する。
【００１０】
図１は、本考案の一実施の形態に係る高設可動式栽培テーブル１０の構成を分解して表すものである。図２（Ａ）は、高設可動式栽培テーブル１０を図１に示したＩ方向から見た構成を表すものであり、図２（Ｂ）は、図２（Ａ）に示したＩＩ−ＩＩ線に沿った断面構成を表すものである。図３は、高設可動式栽培テーブル１０を複数並べて配置した状態を表すものである。この高設可動式栽培テーブル１０は、植物栽培の際に、複数並べて配置して用いられるものであり、例えば、栽培植物を載置する載置台部１１と、この載置台部１１を所定の高さに支持する支持部１２と、載置台部１１を一方向において往復移動させることが可能な移動手段１３とを備えている。この高設可動式栽培テーブル１０は、花の栽培以外に、育苗や、イチゴなどのように培地から垂れ下がる植物の栽培にも適している。
【００１１】
載置台部１１は、例えば、植物を載置する載置パネル１１Ａと、この載置パネル１１Ａを支持する矩形状の支持枠１１Ｂと、この支持枠１１Ｂの一対の長辺部を連結する枠連結体１１Ｃとを有している。載置パネル１１Ａは、例えば、矩形状の網状パネルにより構成されることが好ましく、支持枠１１Ｂの長手方向に複数並べて配置されている。支持枠１１Ｂは、例えば、並べて配置された複数の載置パネル１１Ａに対応して設けられており、枠連結体１１Ｃは、例えば、枠体１１Ｂの長手方向において間隔を開けて複数配置されている。各枠連結体１１Ｃの間隔は、例えば、枠体１１Ｂの長手方向における載置パネル１１Ａの長さに対応していることが好ましく、４０ｃｍから５０ｃｍ程度が好ましい。載置台部１１の短手方向における長さは、例えば、１．２ｍから２ｍ程度、長手方向における長さは、例えば、１０ｍから６０ｍ程度であることが好ましい。
【００１２】
支持部１２は、例えば、載置台部１１の短手方向において対向して配置された複数対の支持柱１２Ａと、各支持柱１２Ａの上端側を短手方向において連結する複数の連結支持体１２Ｂと、各支持柱１２Ａの中間部よりも下端側を短手方向において連結する複数の短手補助体１２Ｃと、各支持柱１２Ａを長手方向において連結する複数の長手補助体１２Ｄとを有している。支持柱１２Ａの下端部には足１２Ｅが設けられており、例えば、載置台部１１を水平に設置するために、１０ｃｍ程上下伸縮可能とされ、また、アンカーで地面に固定することができるように構成されている。なお、図示しないが、土の上に設置する場合には、支持柱１２Ａの下に、各支持柱１２Ａをつなぐように板状の部材を配置するようにしてもよい。支持柱１２Ａの沈下を防止し、安定して配設するためである。
【００１３】
支持柱１２Ａは、例えば、支持部１２の長手方向において、１５０ｃｍから１６０ｃｍの間隔で配設されることが好ましい。また、支持部１２の長手方向の少なくとも両端部には、例えば、長手方向において隣接する支持柱１２Ａを斜めに連結する斜め補強部材１２Ｆが配設されていることが好ましい。強度を向上させるためである。斜め補強部材１２Ｆは、例えば、棒状部材よりなり、支持部１２の長手方向において、端部側が高く、中心側が低くなるように、斜めに取り付けられていることが好ましい。なお、斜め補強部材１２Ｆは、支持部１２の長手方向の両端部に設けることが好ましいが、より補強するために、両端部よりも中心側で隣接する各支持柱１２Ａの間にも取り付けるようにしてもよい。支持部１２の高さ、例えば、支持柱１２Ａの高さは、５０ｃｍから９０ｃｍ程度であることが好ましい。作業者が立った状態で作業することができるようにするためである。
【００１４】
支持部１２の短手方向の長さ、例えば、連結支持体１２Ｂの長さは、載置台部１１の短手方向の長さよりも短くなるように構成されている。例えば、支持部１２の短手方向の長さは、載置台部１１の短手方向の長さの６０％から７０％とすることが好ましい。載置台部１１を一方向である短手方向に往復移動させることにより、支持部１２の脇に作業用の通路を安定して形成するためである。支持部１２の短手方向の長さは、例えば、０．７２ｍから１．８ｍ程度、長手方向の長さは、例えば、載置台部１１の長手方向の長さと同程度であることが好ましい。
【００１５】
また、連結支持体１２Ｂは、例えば、棒状部材により構成されており、載置台部１１を移動させる際の案内レールとしての機能も備えている。載置台部１１には、例えば、連結支持体１２Ｂと連結するための案内連結部１１Ｄが、連結支持体１２Ｂに対応する位置の枠連結体１１Ｃから下に向かい設けられている（図２参照）。案内連結部１１Ｄには、連結支持体１２Ｂを貫通させる貫通孔が設けられており、この貫通孔に連結支持体１２が貫通して配設されることにより、載置台部１１の移動が案内されるようになっている。案内連結部１１Ｄは、例えば、各連結支持体１２Ｂに対応して載置台部１１の長手方向に複数設けられていることが好ましく、更に、載置台部１１の短手方向においても、１つの枠連結体１１Ｃに対して複数（例えば、２個）設けられていることが好ましい。載置台部１１の移動を安定して案内することができるからである。
【００１６】
移動手段１３は、例えば、支持部１２と栽培台部１１との間に、移動方向に対して垂直方向である長手方向に延長された複数（例えば、２本）の棒状部材１３Ａを有している。棒状部材１３Ａの断面外周形状は円形であり、回転させることにより栽培台部１１を移動させるようになっている。棒状部材１３Ａの少なくとも一方の端部には、手動で回転さえるためのハンドル１３Ｂが配設されている。なお、支持柱１２Ａの上端部は、例えば、連結支持体１２Ｂの配設位置よりも上に突出して設けられており、棒状部材１３Ａが移動してきたときに当接して移動を停止させる停止部として機能するようになっている。また、各棒状部材１３Ａは、例えば、移動方向において、一方の支持柱１２Ａと、その一方の支持柱１２Ａに隣接する案内連結部１１Ｄとの間にそれぞれ配置されることが好ましい。
【００１７】
高設可動式栽培テーブル１０は、また、載置台部１１から少なくとも片方の移動方向に突出して間隔保持部材１４が設けられている。この間隔保持部材１４は、並べて配置された隣接する各載置台部１１の間に間隔を保持するためのものであり、例えば、イチゴのように、培地から垂れ下がる植物を栽培する場合において、培地から垂れ下がった部分が載置台部１１に挟まれて傷ついてしまうことを抑制するためである。間隔保持部材１４は、隣同士の載置台部１１に直接当たり、止まる位置（高さ）に設けられている。例えば、間隔保持部材１４は、一端部が載置台部１１の底部に配設され、他端部が上方に向かって折り曲げられて隣接する載置台部１１の側面に当接するように構成されている。間隔保持部材１４の長さは（載置台部１１からの突出長さ）、例えば、１０ｃｍから２０ｃｍ程度であることが好ましく、変更可能とされていることが好ましい。間隔保持部材１４の長さを変更する機構としては、例えば、載置台部１１に対する間隔保持部材１４の配設位置を調整可能としてもよく、又は、部材自体の長さを伸縮可能な構造としてもよい。間隔保持部材１４は、例えば、移動方向の片側に設けられていればよいが、両側に設けられていてもよい。また、間隔保持部材１４は、移動方向に対して垂直方向である載置台部１１の長手方向に間隔を開けて複数設けられていることが好ましい。
【００１８】
この高設可動式栽培テーブル１０は、例えば、長手方向を平行にして移動方向に複数並べて配置して用いられる。なお、設置面積に応じて、長手方向についても複数並べて配置してもよい。載置台部１１の上には、例えば、培地を有する栽培ベッド１５を載置し、載置台部１１の上で栽培植物を栽培する。栽培ベッド１５は、どのような構成のものでもよく、載置方法も限定されない。例えば、図３に示したように、載置台部１１の上に、１つの栽培ベッド１５を置いてもよく、また、図４（Ａ）（Ｂ）に示したように、載置台部１１の上に、段差を形成する棚１６を載せ、棚１６に複数の栽培ベッド１５を置くようにしてもよい。
【００１９】
この高設可動式栽培テーブル１０は、例えば、図５に示したように、作業に応じて移動手段１３により載置台部１１を短手方向に移動させて、隣接する各載置台部１１の間に作業用の通路を設ける位置を変更する。例えば、図５（Ａ）に示したように、図面に向かい最も左側に通路を設けた状態から左側の載置台部１１を左に移動させると、図５（Ｂ）に示したように、左側の載置台部１１と真ん中の載置台部１１との間に通路を設けることができ、図５（Ｂ）の状態から真ん中の載置台部１１を左側に移動させると、図５（Ｃ）に示したように、真ん中の載置台部１１と右側の載置台部１１との間に通路を設けることができ、図５（Ｃ）の状態から右側の載置台部１１を左側に移動させると、図５（Ｄ）に示したように、右側の載置台部１１の右側に通路を設けることができる。逆に、各載置台部１１を右側に移動させても、同様に、通路の位置を変えることができる。この際、本実施の形態によれば、間隔保持部材１４により隣接する２つの載置台部１１の間に間隔が設けられているので、載置台部１１を移動させても、植物が載置台部１１に挟まれて傷つくことが抑制される。
【００２０】
このように本実施の形態によれば、載置台部１１から少なくとも片方の移動方向に突出して間隔保持部材１４を設けるようにしたので、並べて配置された隣接する各載置台部１１の間に間隔を保持し、それらが当接しないようにすることができる。よって、イチゴのように、培地から垂れ下がる植物を栽培する場合において、載置台部１１を移動させても、培地から垂れ下がった部分が載置台部１１に挟まれて傷ついてしまうことを抑制することができる。よって、載置台部１１を移動させることにより、作業に合わせて通路の位置を自由に変えることができ、作付け面積を広くすることができる。
【００２１】
以上、実施の形態を挙げて本考案を説明したが、本考案は上記実施の形態に限定されるものではなく、種々変形可能である。例えば、上記実施の形態では、各構成要素について具体的に説明したが、各構成要素の具体的な構成は異なっていてもよい。また、全ての構成要素を備えていなくてもよく、他の構成要素を備えていてもよい。
【符号の説明】
【００２２】
１０…高設可動式栽培テーブル、１１…載置台部、１１Ａ…載置パネル、１１Ｂ…支持枠、１１Ｃ…枠連結体、１１Ｄ…案内連結部、１２…支持部、１２Ａ…支持柱、１２Ｂ…連結支持部、１２Ｃ…短手補助体、１２Ｄ…長手補助体、１２Ｅ…足、１２Ｆ…斜め補強部材、１３…移動手段、１３Ａ…棒状部材、１３Ｂ…ハンドル、１４…間隔保持部材、１５…栽培ベッド、１６…棚
【図１】
0003223627.tif 000003
【図２】
0003223627.tif 000004
【図３】
0003223627.tif 000005
【図４】
0003223627.tif 000006
【図５】
0003223627.tif 000007
【手続補正書】
【提出日】令和1年8月29日(2019.8.29)
【手続補正１】
【補正対象書類名】実用新案登録請求の範囲
【補正対象項目名】全文
【補正方法】変更
【補正の内容】
【実用新案登録請求の範囲】
【請求項１】
複数並べて配置して用いられる高設可動式栽培テーブルであって、
栽培植物を載置する載置台部と、
この載置台部を所定の高さに支持する支持部と、
前記載置台部を一方向において往復移動させることが可能な移動手段と、
前記載置台部から少なくとも片方の移動方向に突出して設けられ、並べて配置された隣接する前記各載置台部の間に間隔を保持する間隔保持部材と
を備えたことを特徴とする高設可動式栽培テーブル。
【請求項２】
前記間隔保持部材の長さは変更可能であることを特徴とする請求項１記載の高設可動式栽培テーブル。
【請求項３】
前記移動手段は、前記支持部と前記載置台部との間に、移動方向に対して垂直方向に延長された断面外周が円形の複数の棒状部材を有し、この棒状部材を回転させることにより前記載置台部を移動させる
ことを特徴とする請求項１又は請求項２記載の高設可動式栽培テーブル。